(57)【特許請求の範囲】
【請求項１】
ポーリング受信機によって指定されたポーリング送信情報を送信するセレクティブポーリング送信可能な通信装置において、
自動着信端末において自動着信時に、初期識別信号中でＳＥＰ信号の受信機能の有無を、上記ポーリング受信機側に通知する通知手段と；
ポーリング送信情報を格納するメモリと；
上記メモリ内にポーリング送信情報があるか否かを判断する判断手段と；
を有し、ポーリング送信情報が上記メモリにないことを上記判断手段が判断した場合、通知するＳＥＰ信号の受信機能がないことを上記ポーリング受信機に、上記通知手段が通知し、
一方、ポーリング送信情報が上記メモリに少なくとも１つあることを上記判断手段が判断した場合、上記通知手段によって通知するＳＥＰ信号の受信機能があることを上記ポーリング受信機に、上記通信手段が通知する通信装置であって、
ＳＥＰ信号の受信機能があることを上記ポーリング受信機に、上記通知手段が通知した後に、上記ポーリング受信機から受信したＳＥＰ信号によって指定されたポーリング送信情報がない場合には、ＳＥＰ信号の受信機能がないことを、上記ポーリング受信機に再通知することを特徴とする通信装置。
【請求項２】
請求項１において、
ＳＥＰ受信機能なしの初期識別信号を受信したポーリング受信端末において、その旨を表示することを特徴とする通信装置。
【請求項３】
請求項１または請求項２において、
上記メモリは、メモリボックスであり、
上記判断手段は、上記受信したＳＥＰ信号と、上記メモリボックスに対応して予め登録されたＳＥＰ信号とを比較し、この比較結果に応じて、ＳＥＰ機能の有無を宣言することを特徴とする通信装置。
【請求項４】
ポーリング受信機よって指定されたポーリング送信情報を送信するセレクティブポーリング送信可能な通信装置における制御方法において、
自動着信端末において自動着信時に、初期識別信号中でＳＥＰ信号の受信機能の有無を上記ポーリング受信機側に通知する通知工程と；
ポーリング送信情報を格納するメモリに蓄積させる蓄積工程と；
上記メモリ内にポーリング送信情報があるか否か判断する判断工程と；
を有し、上記判断工程によってポーリング送信情報が上記メモリにない場合、上記通知工程で、ＳＥＰ信号の受信機能がないことを、上記ポーリング受信機に、通知し、
一方、上記判断工程で、ポーリング送信情報が上記メモリに少なくとも１つあることが判断された場合、上記通知工程で、ＳＥＰ信号の受信機能があることを上記ポーリング受信機に通知する通信装置の制御方法であって、
上記通知工程で、ＳＥＰ信号の受信機能があることを、上記ポーリング受信機に通知した後に、上記ポーリング受信機から受信したＳＥＰ信号によって指定されたポーリング送信情報がない場合には、ＳＥＰ信号の受信機能がないことを、上記ポーリング受信機に再通知することを特徴とする通信装置の制御方法。
【請求項５】
請求項４において、
ＳＥＰ受信機能なしの初期識別信号を受信したポーリング受信端末において、その旨を表示することを特徴とする通信装置の制御方法。
【請求項６】
請求項４または請求項５において、
上記メモリはメモリボックスであり、
上記判断工程は、上記受信したＳＥＰ信号と、上記メモリボックスに対応して予め登録されたＳＥＰ信号とを比較し、この比較結果に応じてＳＥＰ機能の有無を宣言することを特徴とする通信装置の制御方法。
【請求項７】
ポーリング受信機よって指定されたポーリング送信情報を送信するセレクティブポーリング送信を通信装置に実行させるためのプログラムを記憶したコンピュータ読取可能な記憶媒体において、
自動着信端末において自動着信時に、初期識別信号中でＳＥＰ信号の受信機能の有無を上記ポーリング受信機側に通知する通知ステップと；
ポーリング送信情報を格納するメモリに蓄積させる蓄積ステップと；
上記メモリ内にポーリング送信情報があるか否かを判断する判断ステップと；
上記判断ステップで、ポーリング送信情報が上記メモリにないことが判断された場合、上記通知ステップで、ＳＥＰ信号の受信機能がないことを、上記ポーリング受信機に通知し、一方、上記判断ステップで、ポーリング送信情報が上記メモリに少なくとも１つあることが判断された場合、上記通知ステップで、ＳＥＰ信号の受信機能があることを、上記ポーリング受信機に通知するプログラムを記憶したコンピュータ読取可能なプログラムであって、
上記通知ステップで、ＳＥＰ信号の受信機能があることを上記ポーリング受信機に通知した後に、上記ポーリング受信機から受信したＳＥＰ信号によって指定されたポーリング送信情報がない場合には、ＳＥＰ信号の受信機能がないことを上記ポーリング受信機に再通知するように制御するプログラムを記憶したコンピュータ読取可能な記憶媒体。
【請求項８】
請求項７において、
ＳＥＰ受信機能なしの初期識別信号を受信したポーリング受信端末において、その旨を表示するように制御するプログラムを記憶したコンピュータ読取可能な記憶媒体。
【請求項９】
請求項７または請求項８において、
上記メモリは、メモリボックスであり、
上記判断ステップは、上記受信したＳＥＰ信号と、上記メモリボックスに対応して予め登録されたＳＥＰ信号とを比較し、この比較結果に応じてＳＥＰ機能の有無を宣言するように制御するプログラムを記憶したコンピュータ読取可能な記憶媒体。
【発明の詳細な説明】
【０００１】
【発明の属する技術分野】
本発明は、特にセレクティブポーリング送信機能を有するファクシミリ装置等の通信装置に関するものである。
【０００２】
【従来の技術】
従来のセレクティブポーリング送信機能を有するファクシミリ装置では、自動着信時にＳＥＰ信号受信機能ありのＤＩＳ信号を送信し、この後、受信したＳＥＰ信号により指定されたメモリボックスにポーリング送信する情報がないと、ＤＣＮ信号を送信していた。
【０００３】
【発明が解決しようとする課題】
しかしながら、上述のような動作において、ポーリング受信を行う側のファクシミリ装置では、ＤＴＣグループの信号を送信後にＤＣＮ信号を受信するので、回線切断には移行するが、なぜ、回線断になったかの理由が明確でなかった。
【０００４】
すなわち、この場合の回線断の理由として、ＳＥＰ信号で指定されたメモリボックスに送信情報がない、パスワードが不一致であった、ポーリング送信機がイリーガルな信号を受信したと判断した等、様々な理由が考えられる。このため、適正な対応がとれないという問題がある。
【０００５】
本発明は、セレクティブポーリング通信において、指定されたメモリボックスにポーリング送信情報がないことを受信側装置に適正に認識させることができる通信装置を提供することを目的とする。
【０００６】
【課題を解決するための手段】
本発明は、ポーリング受信機によって指定されたポーリング送信情報を送信するセレクティブポーリング送信可能な通信装置において、自動着信端末において自動着信時に、初期識別信号中でＳＥＰ信号の受信機能の有無を、上記ポーリング受信機側に通知する通知手段と、ポーリング送信情報を格納するメモリと、上記メモリ内にポーリング送信情報があるか否かを判断する判断手段とを有し、ポーリング送信情報が上記メモリにないことを上記判断手段が判断した場合、通知するＳＥＰ信号の受信機能がないことを上記ポーリング受信機に、上記通知手段が通知し、一方、ポーリング送信情報が上記メモリに少なくとも１つあることを上記判断手段が判断した場合、上記通知手段によって通知するＳＥＰ信号の受信機能があることを上記ポーリング受信機に、上記通信手段が通知する通信装置であって、ＳＥＰ信号の受信機能があることを上記ポーリング受信機に、上記通知手段が通知した後に、上記ポーリング受信機から受信したＳＥＰ信号によって指定されたポーリング送信情報がない場合には、ＳＥＰ信号の受信機能がないことを、上記ポーリング受信機に再通知することを特徴とする通信装置である。
【０００７】
また、本発明は、ポーリング受信機よって指定されたポーリング送信情報を送信するセレクティブポーリング送信可能な通信装置における制御方法において、自動着信端末において自動着信時に、初期識別信号中でＳＥＰ信号の受信機能の有無を上記ポーリング受信機側に通知する通知工程と、ポーリング送信情報を格納するメモリに蓄積させる蓄積工程と、上記メモリ内にポーリング送信情報があるか否か判断する判断工程とを有し、上記判断工程によってポーリング送信情報が上記メモリにない場合、上記通知工程で、ＳＥＰ信号の受信機能がないことを、上記ポーリング受信機に、通知し、一方、上記判断工程で、ポーリング送信情報が上記メモリに少なくとも１つあることが判断された場合、上記通知工程で、ＳＥＰ信号の受信機能があることを上記ポーリング受信機に通知する通信装置の制御方法であって、上記通知工程で、ＳＥＰ信号の受信機能があることを、上記ポーリング受信機に通知した後に、上記ポーリング受信機から受信したＳＥＰ信号によって指定されたポーリング送信情報がない場合には、ＳＥＰ信号の受信機能がないことを、上記ポーリング受信機に再通知することを特徴とする通信装置の制御方法である。
【０００８】
さらに、本発明は、ポーリング受信機よって指定されたポーリング送信情報を送信するセレクティブポーリング送信を通信装置に実行させるためのプログラムを記憶したコンピュータ読取可能な記憶媒体において、自動着信端末において自動着信時に、初期識別信号中でＳＥＰ信号の受信機能の有無を上記ポーリング受信機側に通知する通知ステップと、ポーリング送信情報を格納するメモリに蓄積させる蓄積ステップと、上記メモリ内にポーリング送信情報があるか否かを判断する判断ステップと、上記判断ステップで、ポーリング送信情報が上記メモリにないことが判断された場合、上記通知ステップで、ＳＥＰ信号の受信機能がないことを、上記ポーリング受信機に通知し、一方、上記判断ステップで、ポーリング送信情報が上記メモリに少なくとも１つあることが判断された場合、上記通知ステップで、ＳＥＰ信号の受信機能があることを、上記ポーリング受信機に通知するプログラムを記憶したコンピュータ読取可能なプログラムであって、上記通知ステップで、ＳＥＰ信号の受信機能があることを上記ポーリング受信機に通知した後に、上記ポーリング受信機から受信したＳＥＰ信号によって指定されたポーリング送信情報がない場合には、ＳＥＰ信号の受信機能がないことを上記ポーリング受信機に再通知するように制御するプログラムを記憶したコンピュータ読取可能な記憶媒体である。
【００１８】
【発明の実施の形態および実施例】
図１は、本発明の一実施例によるファクシミリ装置の構成を示すブロック図である。
【００１９】
ＮＣＵ（網制御装置）２は、電話網をデータ通信等に使用するために、その回線の端末に接続し、電話交換網の接続制御を行なったり、データ通信路への切換えを行なったり、ループの保持を行なうものである。また、ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお、通常状態では、電話回線２ａは、電話機４側に接続されている。
【００２０】
ハイブリッド回路６は、送信系の信号と受信系の信号とを分離し、加算回路１２からの送信信号をＮＣＵ２経由で、電話回線２ａに送出し、相手側からの信号をＮＣＵ２経由で受取り、信号線６ａ経由で、変復調器８に送るものである。
【００２１】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２０ｃにより、各伝送モードが指定される。この変復調器８は、信号線２０ｂに出力されている信号を入力し、変調データを信号線８ａに出力し、信号線６ａに出力されている受信信号を入力し、復調データを信号線８ｂに出力する。
【００２２】
ＡＮＳａｍ送出回路１０は、ＡＮＳａｍ信号を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しない。
【００２３】
加算回路１２は、信号線８ａの情報と信号線１０ａの情報とを入力し、加算した結果を信号線１２ａに出力するものである。読取回路１４は、原稿の画像を読取り、この読取り画像データを信号線１４ａに出力するものである。記録回路１６は、信号線２０ｅに出力されている情報を順次１ライン毎に記録するものである。
【００２４】
メモリ回路１８は、読取りデータの生情報、あるいは、符号化した情報を格納したり、また、受信情報、あるいは、復号化した情報等を格納するために使用する。
【００２５】
ポーリング送信情報登録ボタン２２は、メモリボックスを指定してポーリング送信情報をメモリ回路１８に格納する場合に押下するボタンであり、このボタンが押下されると、信号線２２ａに押下パルスが発生する。
【００２６】
ポーリング受信選択ボタン２４は、ポーリング受信を選択する場合に押下するボタンであり、このボタンが押下されると、信号線２４ａに押下パルスが発生する。
【００２７】
ポーリング受信選択ランプ２６は、信号線２０ｆにクリアパルスが発生すると消灯し、以後、信号線２４ａに押下パルスが発生する毎に点灯→消灯→点灯を繰り返す。また、ポーリング受信選択ランプ２６は、点灯している時には信号線２６ａに信号レベル「１」の信号を出力し、消灯している時には信号レベル「０」の信号を出力する。
【００２８】
ＳＥＰアドレス登録回路２８は、メモリボックスに対応してＳＥＰアドレスを登録する回路であり、信号線２８ａを介して最大１００個のメモリボックス（００から９９）に対応してＳＥＰアドレスを登録する。
【００２９】
表示回路３０は、セレクティブポーリング受信をしようとしたファクシミリ装置に相手機がＳＥＰ受信機能を有していない場合、その旨を表示する回路であり、信号線２０ｇに信号レベル「１」の信号が出力されていると表示をし、信号線２０ｇに信号レベル「０」の信号が出力されていると表示をしない。
【００３０】
操作部３２は、ワンタッチダイヤル、短縮ダイヤル、テンキー、＊・＃キー、セットキー、スタートキー、回路２８への登録キー、その他ファンクションキーがあり、押下されたキー情報は信号線３２ａに出力される。
【００３１】
制御回路２０は、セレクティブポーリング送信可能なファクシミリ装置全体を制御するものであり、自動着信時に初期識別信号の中にＳＥＰ信号の受信機能の有無を通知するとともに、自動着信端末のポーリング送信情報のセット状態に応じて、ＳＥＰ信号の受信機能の有無を変更する処理を行うものである。
【００３２】
具体的には、メモリボックスの中にポーリング送信情報が１つも入っていなければ、自動着信時に、ＤＩＳのＦＩＦのｂｉｔ４７を０（ＳＥＰ受信機能なし）にしたＤＩＳ信号を送信する。一方、メモリボックスの中にポーリング送信情報が少なくとも１つ以上格納されていれば、自動着信時に、ＤＩＳのＦＩのｂｉｔ４７を１（ＳＥＰ受信機能あり）にしたＤＩＳを送信し、その後、相手機、すなわちポーリング受信機から送信されたＳＥＰ信号により、指定されたメモリボックスの中にポーリング送信情報がないと、ＤＩＳのＦＩＦのｂｉｔ４７を０（ＳＥＰ受信機能なし）にしたＤＩＳを送信し、相手機にその旨を通知するよう制御する。
【００３３】
一方、ＳＥＰ受信機能なしのＤＩＳを受信したポーリング受信端末において、その旨を表示するよう制御する。
【００３４】
図２〜図７は、本実施例における制御回路２０の制御の流れを示すフローチャートである。
【００３５】
Ｓ０で動作を開始し、Ｓ２では信号線２０ｇに信号レベル「０」の信号を出力して相手機はＳＥＰ受信機能なしを表示回路３０に表示しない状態とする。また、Ｓ４では、信号線２０ｆにクリアパルスを発生してポーリング受信選択ランプ２６を消灯する状態とする。
【００３６】
Ｓ６では、信号線２０ａに信号レベル「０」の信号を出力してＣＭＬをオフする。Ｓ８では、信号線２０ｄに信号レベル「０」の信号を出力し、ＡＮＳａｍ信号を送信しない状態とする。
【００３７】
Ｓ１０では、信号線３２ａの情報を入力し、登録回路２８への登録が選択されたか否かを判断し、選択されるとＳ１２に進み、信号線２８ａを介してメモリボックスに対応してＳＥＰアドレスを登録回路２８に登録し、Ｓ１４に進む。また、選択されていないと、そのままＳ１４に進む。
【００３８】
Ｓ１４では、信号線２２ａ、３２ａの情報を入力し、ポーリング送信情報の登録あるいは消去が選択されたか否かを判断し、選択されるとＳ１６に進み、メモリボックスに対応して送信情報をメモリ回路１８に格納する、あるいは、メモリ回路１８から消去し、Ｓ１８に進む。また、選択されていないと、そのままＳ１８に進む。
【００３９】
Ｓ１８では、着信があるか否かを判断し、着信があるとＳ２０に進み、着信がないとＳ６０に進む。
【００４０】
Ｓ２０では、信号線２０ａに信号レベル「１」の信号を出力してＣＭＬをオンする。Ｓ２２では、Ｔ１タイマに３５秒をセットする。
【００４１】
Ｓ２４では、メモリボックスの中にポーリング送信する情報が少なくとも１つ以上あるか否かを判断し、１つ以上あるとＳ２６に進み、１つもないとＳ５０に進む。
【００４２】
Ｓ２６では、ＮＳＦ／ＣＳＩ／ＤＩＳ（ＤＩＳのＦＩＦの４７ｂｉｔは１とし、ＳＥＰ受信機能ありとする）を送信する。Ｓ２８では、Ｔ４タイマに３秒をセットする。
【００４３】
Ｓ３０、Ｓ３２、Ｓ３４、Ｓ３６では、Ｔ４タイマがタイムオーバーする前にＮＳＳ／ＴＳＩ／ＤＣＳ信号、あるいは、ＳＥＰ／ＮＳＣ／ＣＩＧ／ＤＴＣ信号、あるいは、ＤＣＮ信号を受信したかを判断し、ＮＳＳ／ＴＳＩ／ＤＣＳ信号を受信するとＳ４０に進む。また、ＳＥＰ／ＮＳＣ／ＣＩＧ／ＤＴＣ信号を受信すると、Ｓ４４に進み、ＤＣＮ信号を受信するとＳ４に進み、Ｔ４タイマがタイムオーバーするとＳ３８に進む。
【００４４】
Ｓ３８では、Ｔ１タイマがタイムオーバーしたか否かを判断し、タイムオーバーするとＳ４に進み、タイムオーバーしていないとＳ２４に進む。Ｓ４０では、画信号の受信／記録を行い、後手順を実行（Ｓ４２）してＳ４に進む。
【００４５】
Ｓ４４では、ＳＥＰ信号により指定されたメモリボックスに送信情報があるか否かを判断し、あるとＳ４６に進み、指定されたメモリボックスに格納されている情報のポーリング送信を行い、後手順を実行（Ｓ４８）してＳ４に進む。
【００４６】
また、ＳＥＰ信号により指定されたメモリボックスに送信情報がないと、Ｓ５０に進む。Ｓ５０では、ＮＳＦ／ＣＳＩ／ＤＩＳ（ＤＩＳ信号のＦＩＦの４７ｂｉｔは０とし、ＳＥＰ受信機能なしとする）を送信する。Ｓ５２では、Ｔ４タイマに３秒をセットする。
【００４７】
Ｓ５４、Ｓ５６では、Ｔ４タイマがタイムオーバーする前にＮＳＳ／ＴＳＩ／ＤＣＳ信号を受信したか否かを判断し、ＮＳＳ／ＴＳＩ／ＤＣＳ信号を受信するとＳ４０に進み、Ｔ４タイマがタイムオーバーするとＳ５８に進む。
【００４８】
Ｓ５８では、Ｔ１タイマがタイムオーバーしたか否かを判断し、タイムオーバーするとＳ４に進み、タイムオーバーしていないとＳ５０に進む。
【００４９】
Ｓ６０では、信号線２６ａ、３２ａの情報を入力し、ポーリング受信が選択されたか否かを判断し、選択されるとＳ６４に進み、選択されないとＳ６２に進み、その他の処理を行って、Ｓ４に進む。
【００５０】
Ｓ６４では、信号線２０ａに信号レベル「１」の信号を出力してＣＭＬをオンする。Ｓ６６は、指定された宛先へ発呼する。Ｓ６８では、Ｔ１タイマに３５秒をセットする。
【００５１】
Ｓ７０、Ｓ７２では、Ｔ１タイマがタイムオーバーする前にＮＳＦ／ＣＳＩ／ＤＩＳ信号を受信したか否かを判断し、ＮＳＦ／ＣＳＩ／ＤＩＳ信号を受信するとＳ７４に進み、Ｔ１タイマがタイムオーバーするとＳ４に進む。
【００５２】
Ｓ７４では、ＤＩＳ信号のＦＩＦの４７ｂｉｔは１（ＳＥＰ受信機能があるか）であるか否か判断し、１であるとＳ７６に進み、０であるとＳ８０に進む。
【００５３】
Ｓ７６では、ＳＥＰ／ＮＳＣ／ＣＩＧ／ＤＴＣ信号を送信し、Ｓ７８では、Ｔ４タイマに３秒をセットして、Ｓ８６に進む。
【００５４】
Ｓ８０では、信号線２０ａに信号レベル「０」の信号を出力し、ＣＭＬをオフする。Ｓ８２では、信号線２０ｇに信号レベル「１」の信号を出力し、相手機はＳＥＰ受信機能なしを表示回路３０に表示する。この後、Ｓ８４では、信号線３２ａの情報を入力し、何らかのキー操作があったかを判断し、何らかのキー操作があるとＳ４に進む。
【００５５】
Ｓ８６、Ｓ８８、Ｓ９０では、Ｔ４タイマがタイムオーバーする前にＮＳＳ／ＴＳＩ／ＤＣＳ信号、あるいは、ＮＳＦ／ＣＳＩ／ＤＩＳ信号を受信したか否かを判断し、ＮＳＳ／ＴＳＩ／ＤＣＳ信号を受信するとＳ９４に進み、ＮＳＦ／ＣＳＩ／ＤＩＳ信号を検出するとＳ９８に進み、Ｔ４タイマがタイムオーバーするとＳ９２に進む。
【００５６】
Ｓ９２では、Ｔ１タイマがタイムオーバーしたか否かを判断し、タイムオーバーするとＳ４に進み、タイムオーバーしていないとＳ７６に進む。
【００５７】
Ｓ９４ではポーリング受信／記録を行い、Ｓ９６では後手順を実行して、Ｓ４に進む。
【００５８】
Ｓ９８では、ＤＩＳ信号のＦＩＦの４７ビットは１（ＳＥＰ受信機能あり）か否かを判断し、１であるとＳ７６に進み、０であるとＳ８０に進む。
【００５９】
なお、以上のような制御回路の動作は、制御回路内のＣＰＵが制御回路内のＲＯＭやＲＡＭ等に記憶したプログラムに基づいて行われるが、本発明は、このようなプログラムをフロッピディスクやハードディスク、あるいは光ディスクや光磁気ディスク、あるいはＣＤ−ＲＯＭやメモリカード等の各種外部記憶媒体に格納し、これを専用の読取装置によって制御回路内に取り込み、これを制御回路内のＣＰＵで実行するようにしてもよい。
【００６０】
また、以上の実施例では、スタンドアローンタイプのファクシミリ装置を例に説明したが、本発明はこれに限らず、例えばコピー機能や電子ファイル機能、さらにはデータ処理機能を通信機能と複合させた総合的なデータ処理システムにおけるデータ通信制御に適用し得るものである。また、読取回路や記録回路と分離された通信装置においても同様に適用し得るものである。
【００６１】
【発明の効果】
請求項１〜請求項９記載の発明によれば、ポーリング受信する側の通信装置は、着信側の通信装置のメモリにおいて、ＳＥＰ信号によりポーリング受信する側の通信装置から指定されたポーリング送信情報がないことを認識でき、ポーリング受信する側の通信装置に適正な対応をとらせることが可能となる。
【００６３】
請求項２、５、８記載の発明によれば、ポーリング受信する側の通信装置のオペレータが指定したポーリング送信情報が着信側の通信装置にないことを認識でき、オペレータに適正な対応をとらせることが可能となる。
【図面の簡単な説明】
【図１】本発明の一実施例を示すブロック図である。
【図２】上記実施例の動作を示すフローチャートである。
【図３】上記実施例の動作を示すフローチャートである。
【図４】上記実施例の動作を示すフローチャートである。
【図５】上記実施例の動作を示すフローチャートである。
【図６】上記実施例の動作を示すフローチャートである。
【図７】上記実施例の動作を示すフローチャートである。
【符号の説明】
２…ＮＣＵ、
４…電話機、
６…ハイブリッド回路、
８…変復調器、
１０…ＡＮＳａｍ送出回路、
１２…加算回路、
１４…読取回路、
１６…記録回路、
１８…メモリ回路、
２０…制御回路、
２２…ポーリング送信情報登録ボタン、
２４…ポーリング受信選択ボタン、
２６…ポーリング受信選択ランプ、
２８…ＳＥＰアドレス登録回路、
３０…表示回路、
３２…操作部。
【図１】
0003630961.tif 000002
【図２】
0003630961.tif 000003
【図３】
0003630961.tif 000004
【図４】
0003630961.tif 000005
【図５】
0003630961.tif 000006
【図６】
0003630961.tif 000007
【図７】
0003630961.tif 000008